(57)【特許請求の範囲】
【請求項１】
周壁を構成する順次連設された側壁および端壁と、前記側壁の上端に連設された上フラップと、前記側壁および端壁の下端に連設された底フラップとを有する包装箱において、
前記上フラップにハンドル片を連設し、
前記端壁の上端に固定片を連設し、
前記固定片に切目線を施すことにより該固定片と一体の差込み片を形成し、
前記側壁の上端に連設された前記上フラップに前記差込み片を係止する係止部を設けたもので、
前記係止部は、前記上フラップに施されたＨ字型の切込みからなり、該切込みにより形成された２つの係止片の間に前記差込み片が差し込まれると該差込み片を係止することを特徴とする包装箱。
【発明の詳細な説明】
【０００１】
【発明の属する技術分野】
本発明は、洗剤等の収容物を収容する包装箱に関するものである。特に、ユーザが包装箱を手に提げて持ち運びするためのハンドルを備えたものに関する。
【０００２】
【従来の技術】
図７は、ダンボールなどの紙材料からなる矩形状の箱である従来の包装箱１００を示す。この包装箱１００は、その天面に対して垂直方向に立ち上げられたハンドル片１０１ａ，ｂが設けられている。また、前記包装箱１００の端壁上端には固定片１０２ａ，ｂが連設されており、前記固定片１０２ａ，ｂは、前記ハンドル片１０１ａ，ｂを起立状態で固定するものである。そして、前記包装箱１００を段積みする場合には、図中矢印で示すように、前記ハンドル片１０１ａ，ｂおよび前記固定片１０２ａ，ｂを水平方向へ折り畳み、包装箱１００の天面を平坦な状態にする。
【０００３】
【発明が解決しようとする課題】
しかしながら、前記包装箱１００では、図８に示すように、一旦折り畳んでもダンボール紙が有する弾性力により前記ハンドル片１０１ａ，ｂおよび前記固定片１０２ａ，ｂが、前記包装箱１００の天面から浮き上がり、見栄えが悪いうえ、段積みされた上側の包装箱１００が傾くという問題があった。
【０００４】
そこで、本発明は、ハンドル片を折り畳んだ状態で維持できる包装箱を提供することを課題とする。
【０００５】
【課題を解決するための手段】
本発明は、前記課題を解決するための手段として、周壁を構成する順次連設された側壁および端壁と、前記側壁の上端に連設された上フラップと、前記側壁および端壁の下端に連設された底フラップとを有する包装箱において、前記上フラップにハンドル片を連設し、前記端壁の上端に固定片を連設し、前記固定片に切目線を施すことにより該固定片と一体の差込み片を形成し、前記側壁の上端に連設された前記上フラップに前記差込み片を係止する係止部を設けたもので、前記係止部は、前記上フラップに施されたＨ字型の切込みからなり、該切込みにより形成された２つの係止片の間に前記差込み片が差し込まれると該差込み片を係止するものである。
【０００６】
前記発明では、ハンドル片を折り畳み、続いて固定片を折り畳んだ状態で、側壁に連設された上フラップに形成された係止部が差込み片を係止するので、固定片を介してハンドル片を包装箱の天面に押し付け、ハンドル片が包装箱の天面から浮き上がることを防止できる。
【０００８】
【発明の実施の形態】
以下、本発明の実施の形態を添付図面にしたがって説明する。
【０００９】
図１は、本発明に係る包装箱１の展開図を示す。前記包装箱１は、ダンボールなどの紙材料からなり、順次連設された側壁１１ａ，ｂおよび端壁１２ａ，ｂからなる。前記側壁１１ａ，ｂおよび端壁１２ａ，ｂの各下端には底フラップ１３ａ，ｂ，ｃ，ｄが設けられている。また、前記側壁１１ａ，ｂの上端には上フラップ１４ａ，ｂが連設され、前記端壁１２ａ，ｂの上端には固定片１５ａ，ｂが連設されている。また、前記側壁１１ａの前記端壁１２ａが連設されている一端とは反対側の他端には、糊付片１６が連設されている。
【００１０】
前記底フラップ１３ｂ，ｄには、それぞれ糊付け片１７ａ，ｂが設けられており、該糊付け片１７ａ，ｂは、後述するように隣接する底フラップ１３ａ，ｃとそれぞれ貼着されるものである。
【００１１】
前記上フラップ１４ａ，ｂには、折目線３１ａ，ｂを介してハンドル片１８ａ，ｂが一体に連設されている。さらに、前記上フラップ１４ｂの中央部近傍には、図２に示すように、２つの係止部を構成するＨ字型の切込み１９ａ，ｂがそれぞれ形成されている。この切込み１９ａ，ｂを施すことにより折目線３２ａ，ｂ，ｃ，ｄを介して前記上フラップ１４ｂと一体の係止片２０ａ，ｂ，ｃ，ｄが形成されている。
【００１２】
前記ハンドル片１８ａの中央部には、ユーザが指先を入れて前記ハンドル片１８ａを把持するための把持孔２１が形成されている。また、前記ハンドル片１８ｂ中央部には、切目線２２を施すことにより前記ハンドル片１８ｂと一体に連設された舌片２３が形成されている。また、これらのハンドル片１８ａ，ｂの両端には突片２４ａ，ｂ，ｃ，ｄがそれぞれ形成されている。
【００１３】
前記固定片１５ａ，ｂは、その中央部に前記突片２４ａ，ｂ，ｃ，ｄが後述するように嵌合すると、前記ハンドル片１８ａ，ｂの移動を規制し、前記ハンドル片１８ａ，ｂを前記包装箱１の天面に対して起立状態で固定するための長孔２５ａ，ｂがそれぞれ形成されている。また、前記長孔２５ａ、ｂ上端から円弧状の切目線２６ａ，ｂを施すことにより可動片２７ａ，ｂが形成されている。この可動片２７ａ，ｂは、折目線３３ａ，ｂを介して前記固定片１５ａ，ｂと一体である。また、前記固定片１５ａ，ｂの上部には、前記固定片１５ａ，ｂの縁部から内側に連続する切目線２８ａ，ｂを施すことにより差込み片２９ａ，ｂがそれぞれ形成されている。該差込み片２９ａ，ｂは、固定片１５ａ，ｂの縁部から内側に形成されているので、前記包装箱１の外観を損なわない。
【００１４】
前記展開状態の包装箱１を組み立てるには、端壁１２ｂと糊付片１６を重ねて糊着ことにより周壁を形成し、糊付け片１７ａ，ｂを底フラップ１３ａ，ｃとそれぞれ重ねて糊着し、一体となった前記底フラップ１３ａ，ｂと底フラップ１３ｃ，ｄとを水平方向へ折り曲げ、噛み合わせることにより底壁を形成する。
【００１５】
図３に示すように組み立てられた包装箱１内に収容物を図中上方から収容した後、上フラップ１４ａ，ｂを折目線３４ａ，ｃを折目にして山折りして包装箱１内側上方に配置するとともに、ハンドル片１８ａ，ｂを折目線３１ａ，ｂを折目にして谷折りする。
【００１６】
そして、図４に示すように、ハンドル片１８ａ，ｂを重ね合わすとともに、上フラップ１４ａ，ｂに対して垂直方向に立ち上げる。これにより、上フラップ１４ａ，ｂは、包装箱１を閉塞して包装箱１の天面を形成する。そして、固定片１５ａ，ｂをハンドル片１８ａ，ｂの両端に当接するまで折目線３４ｂ，ｄを折目にして山折りする。このとき、ハンドル片１８ａ，ｂの突片２４ｂ，ｃおよび２４ａ，ｄは、長孔２５ａ，ｂにそれぞれ嵌合する。これにより、ハンドル片１８ａ，ｂは、包装箱１の天面に対して垂直に起立した状態で固定される。
【００１７】
次に、前記構成からなる包装箱１のハンドル片１８ａ，ｂを折り畳む場合について説明する。
【００１８】
まず、ユーザは可動片２７ａ，ｂを指先などにより折目線３３ａ，ｂを折目にして山折りし、固定片１５ａ，ｂの内側に押し込む。続いて、図４中矢印で示すように、ハンドル片１８ａ，ｂを包装箱１の天面に向かって折り畳む。このとき、ハンドル片１８ａ，ｂの突片２４ａ，ｂ，ｃ，ｄ上端は、切目線２６ａ，ｂに沿って摺動し、固定片１５ａ，ｂが包装箱１の天面に向かって折り畳まれる。しかし、手を離すと折り畳まれたハンドル片１８ａ，ｂおよび固定片１５ａ，ｂは、図５に示すように、ダンボール紙が有する弾性力により反発する。
【００１９】
そこで、図６に示すように、差込み片２９ａ，ｂを折目線３５ａ，ｂを折目にして山折りし、下方に位置するＨ字型の切込み１９ａ，ｂにそれぞれ差し込む。このとき、差込み片２９ａおよび２９ｂは、係止片２０ａ，ｂおよび係止片２０ｃ，ｄによりそれぞれ挟み付けられることにより係止される。これにより、ハンドル片１８ａ，ｂは、固定片１５ａ，ｂを介して包装箱１の天面に押し付けられ、包装箱１の天面から浮き上がらない。
【００２０】
ユーザは、包装箱１を手に提げて持ち運びする場合、水平に固定されているハンドル片１８ａ，ｂを立ち上げる。このとき、固定片１５ａ，ｂは、ハンドル片１８ａ，ｂと連動して共に起こされるので、固定片１５ａ，ｂと一体である差込み片２９ａ，ｂは、Ｈ字型の切込み１９ｂ，ａから引き抜かれる。このように、差込み片２９ａ，ｂの係止状態は、容易に解放される。図４に示す状態までハンドル片１８ａ，ｂを戻した後、舌片２３を折目線３４ａ，ｂを折目にして山折りし、把持孔２１内側に指先を挿入してハンドル片１８ａ，ｂを把持し、包装箱１を持ち運びする。
【００２２】
【発明の効果】
以上の説明から明らかなように、本発明によれば、周壁を構成する順次連設された側壁および端壁と、側壁の上端に連設された上フラップと、各側壁の下端に連設された底フラップとを有する包装箱において、上フラップにハンドル片を連設し、端壁の上端に固定片を連設し、固定片に切目線を施すことにより固定片と一体の差込み片を形成し、側壁の上端に連設された上フラップに差込み片を係止する係止部を設けたことにより、ハンドル片を折り畳み、続いて固定片を折り畳んだ状態で、差込み片を上フラップに形成されたＨ字型の切込みからなる係止部に差し込むと、係止部が差込み片を係止する。これにより、ハンドル片が包装箱の天面から浮き上がることを防止でき、ハンドル片を折り畳んだ状態で維持できる。
【図面の簡単な説明】
【図１】本発明の実施形態に係る包装箱の展開図。
【図２】図１の包装箱の一部拡大図。
【図３】図１の包装箱を組み立てた状態を示した斜視図。
【図４】図１の包装箱を組み立てた状態を示した斜視図。
【図５】図１の包装箱を組み立てた状態を示した斜視図。
【図６】図１の包装箱を組み立てた状態を示した斜視図。
【図７】従来の包装箱を組み立てた状態を示した斜視図。
【図８】従来の包装箱を組み立てた状態を示した斜視図。
【符号の説明】
１…包装箱
１１ａ，ｂ…側壁
１２ａ，ｂ…端壁
１３ａ，ｂ，ｃ，ｄ…底フラップ
１４ａ，ｂ…上フラップ
１５ａ，ｂ…固定片
１８ａ，ｂ…ハンドル片
１９ａ，ｂ…Ｈ字型の切込み（係止部）
２０ａ，ｂ，ｃ，ｄ…係止片
２８ａ，ｂ…切目線
２９ａ，ｂ…差込み片
【図１】
0003581132.tif 000002
【図２】
0003581132.tif 000003
【図３】
0003581132.tif 000004
【図４】
0003581132.tif 000005
【図５】
0003581132.tif 000006
【図６】
0003581132.tif 000007
【図７】
0003581132.tif 000008
【図８】
0003581132.tif 000009